(57)【要約】【課題】  携帯端末の制約を考慮し、ユーザに対する情報の表示様式や、ユーザのデータ入力方式を規定するＵＩ（ｕｓｅｒ  ｉｎｔｅｒｆａｃｅ）を満たすことができるようにする。【解決手段】  本文にテキスト文字以外の情報を貼り付けることができるたとえばＨＴＭＬメールの送受信が可能な携帯電話１０ａ，１０ｂと、携帯電話１０ａ，１０ｂ間でのメールの送受信を行うメールサーバ３０とを備え、携帯電話１０ａ，１０ｂは、受信したメールを識別して表示させ、そのメールの表示画面に表示される返信ボタンが押下されると、受信したメールのフォームを表示させ、そのフォームで指定された値を送信メールに記述するようにした。【選択図】  図２
2007102354.tif 000002
【特許請求の範囲】
【請求項１】
本文にテキスト文字以外の情報を貼り付けることができるメールの送受信を行うメール配信システムであって、
前記メールの送受信が可能な携帯端末と、
前記携帯端末間でのメールの送受信を行うメールサーバとを備え、
前記携帯端末は、
受信した前記メールを識別して表示させるメール表示手段と、
前記メールの表示画面に表示される返信ボタンが押下されると、受信した前記メールのフォームを表示させるフォーム表示手段と、
前記フォームで指定された値を送信メールに記述する記述手段とを備える
ことを特徴とするメール配信システム。
【請求項２】
前記携帯端末は、
受信した前記メールと紐付けされた電話帳と、
受信した前記メールを前記電話帳に対して登録／修正／削除するメール編集手段と、
前記電話帳に登録されたメールを検索／表示するメール検索／表示手段と、
受信した前記メールの送信元のメールアドレスと件名の内容とをキーとして前記電話帳に登録されたメールを自動更新するメール自動更新手段とを備える
ことを特徴とする請求項１に記載のメール配信システム。
【請求項３】
前記電話帳は、メール項目とし、少なくともユーザＩＤ、メールＩＤ、メール件名、本文が設けられているテーブルによって管理されていることを特徴とする請求項２に記載のメール配信システム。
【請求項４】
前記本文には、マークアップ言語で記述されたフォームが保存されることを特徴とする請求項３に記載のメール配信システム。
【請求項５】
本文にテキスト文字以外の情報を貼り付けることができるメールの送受信を行う携帯端末であって、
受信した前記メールを識別して表示させるメール表示手段と、
前記メールの表示画面に表示される返信ボタンが押下されると、受信した前記メールのフォームを表示させるフォーム表示手段と、
前記フォームで指定された値を送信メールに記述する記述手段とを備える
ことを特徴とする携帯端末。
【請求項６】
受信した前記メールと紐付けされた電話帳と、
受信した前記メールを前記電話帳に対して登録／修正／削除するメール編集手段と、
前記電話帳に登録されたメールを検索／表示するメール検索／表示手段と、
受信した前記メールの送信元のメールアドレスと件名の内容とをキーとして前記電話帳に登録されたメールを自動更新するメール自動更新手段とを備える
ことを特徴とする請求項５に記載の携帯端末。
【請求項７】
前記電話帳は、メール項目とし、少なくともユーザＩＤ、メールＩＤ、メール件名、本文が設けられているテーブルによって管理されていることを特徴とする請求項６に記載の携帯端末。
【請求項８】
前記本文には、マークアップ言語で記述されたフォームが保存されることを特徴とする請求項７に記載の携帯端末。
【請求項９】
本文にテキスト文字以外の情報を貼り付けることができるメールの送受信を行うメール配信方法であって、
受信した前記メールを識別して表示させるステップと、
前記メールの表示画面に表示される返信ボタンが押下されると、受信した前記メールのフォームを表示させるステップと、
前記フォームで指定された値を送信メールに記述するステップとを有する
ことを特徴とするメール配信方法。
【請求項１０】
受信した前記メールと紐付けされた電話帳に対し、受信した前記メールを登録／修正／削除するステップと、
前記電話帳に登録されたメールを検索／表示するステップと、
受信した前記メールの送信元のメールアドレスと件名の内容とをキーとして前記電話帳に登録されたメールを自動更新するステップとを有する
ことを特徴とする請求項９に記載のメール配信方法。
【請求項１１】
前記電話帳は、メール項目とし、少なくともユーザＩＤ、メールＩＤ、メール件名、本文が設けられているテーブルによって管理されていることを特徴とする請求項１０に記載のメール配信方法。
【請求項１２】
前記本文には、マークアップ言語で記述されたフォームが保存されることを特徴とする請求項１１に記載のメール配信方法。
【請求項１３】
本文にテキスト文字以外の情報を貼り付けることができるメールの送受信を行うメール配信方法を実行するためのメール配信プログラムであって、
受信した前記メールを識別して表示させるステップと、
前記メールの表示画面に表示される返信ボタンが押下されると、受信した前記メールのフォームを表示させるステップと、
前記フォームで指定された値を送信メールに記述するステップとを有する
ことを特徴とするメール配信プログラム。
【請求項１４】
受信した前記メールと紐付けされた電話帳に対し、受信した前記メールを登録／修正／削除するステップと、
前記電話帳に登録されたメールを検索／表示するステップと、
受信した前記メールの送信元のメールアドレスと件名の内容とをキーとして前記電話帳に登録されたメールを自動更新するステップとを有する
ことを特徴とする請求項１３に記載のメール配信プログラム。
【請求項１５】
前記電話帳は、メール項目とし、少なくともユーザＩＤ、メールＩＤ、メール件名、本文が設けられているテーブルによって管理されていることを特徴とする請求項１４に記載のメール配信プログラム。
【請求項１６】
前記本文には、マークアップ言語で記述されたフォームが保存されることを特徴とする請求項１５に記載のメール配信プログラム。
【発明の詳細な説明】
【技術分野】
【０００１】
本発明は、ＨＴＭＬメールの送受信を行うメール配信システム、携帯端末、メール配信方法、メール配信プログラムに関する。
【背景技術】
【０００２】
近年、メールは携帯電話の機能に無くてはならない存在となっている。携帯電話利用の統計からみても電話機能よりもメール機能を使う方が圧倒的に多いことが示されている。料金も１回の電話に比べ１回で送れる文字のメールの方が安くなっており、通信料を考えずに気楽に利用できることが主な人気の理由であると考えられる。
【０００３】
その他の理由としては、時と場所を選ばず、しかも他愛もない話を手軽にできることもその理由であると考えられる。また、メール機能なら、そのメールの内容に興味や返信の必要性が無ければ応対しなくてもいいし、電話機能に比べて即時・即応性が無いため、リアルタイムに自分や相手の空間・時間を侵食されないので相手に対する迷惑度も低くなるということもその理由であると考えられる。
【０００４】
ところで、このような携帯電話によるメールでは、本文にテキスト文字が用いられる、いわゆるテキストメールが一般的であり、本文にテキスト文字以外の情報を貼り付けることができる、いわゆるＨＴＭＬメールを用いることができない。
【０００５】
ここで、ＨＴＭＬメールとは、メールの本文をＷｅｂページの作成に使うＨＴＭＬで記述したものであり、画像の埋め込みや文字の色付けに加え、様々な種類のフォントの利用等が可能となり、表現力の高いレイアウトが可能とされたものである。
【０００６】
このようなＨＴＭＬメールの使用が可能となれば、携帯電話によるメールの表現に様々な工夫を凝らすことが可能となるため、今以上にメールのやり取りを楽しめるものと考えられる。
【０００７】
ちなみに、現在の携帯電話では、メールの背景色や文字色を変えたり、動くアニメーション画像を付けたりすることができる「デコメール」と呼ばれるものがあり、テキストメールでは表現できないビジュアル表現が可能となっている。
【０００８】
また、特許文献１では、端末が取引サーバに空メールを送信すると、取引サーバが端末に送信すべき必要事項の項目を含むフォームメールを送信し、そのフォームメールの受信に応答して、端末が取引サーバにフォームメールの各項目に必要事項が記入された情報メールを送信するようにした取引方法を提案している。
【特許文献１】特開２００４−２７７２３６号公報
【発明の開示】
【発明が解決しようとする課題】
【０００９】
ところで、上述した「デコメール」と呼ばれるものでは、メールの背景色や文字色を変えたり、動くアニメーション画像を付けたりすることができるものの、メールの背景色や文字色、さらには動くアニメーション画像の種類は端末に予め用意されているものに限られてしまうため、ユーザに情報を選択させる等のユーザに対する情報の表示様式や、ユーザのデータ入力方式を規定するＵＩ（ｕｓｅｒ  ｉｎｔｅｒｆａｃｅ）が乏しいものとなってしまう。
【００１０】
このようなＵＩを満足させるためには、Ｗｅｂ、もしくはＷｅｂとメールとを併用することで、実現できるものと考えられるが、Ｗｅｂとメールとを併用させようとすると、入力処理等に応じてそれぞれのアプリケーションを切り替えなければならず、携帯電話での限られたボタンでの操作が煩雑であるという問題があった。
【００１１】
また、特許文献１のように、取引サーバから必要事項の項目を含むフォームメールを受信し、そのフォームメールの各項目に必要事項が記入されるようにすることで、メールの表示内容に工夫が施されるが、そのフォームメールはいわゆるテキストメールとなっているため、やはりユーザに情報を選択させる等のＵＩ（ｕｓｅｒ  ｉｎｔｅｒｆａｃｅ）が乏しいものとなってしまうという問題があった。
【００１２】
本発明は、このような状況に鑑みてなされたものであり、携帯端末の制約を考慮し、ユーザに対する情報の表示様式や、ユーザのデータ入力方式を規定するＵＩ（ｕｓｅｒ  ｉｎｔｅｒｆａｃｅ）を満たすことができるメール配信システム、携帯端末、メール配信方法、メール配信プログラムを提供することを目的とする。
【課題を解決するための手段】
【００１３】
本発明のメール配信システムは、本文にテキスト文字以外の情報を貼り付けることができるメールの送受信を行うメール配信システムであって、前記メールの送受信が可能な携帯端末と、前記携帯端末間でのメールの送受信を行うメールサーバとを備え、前記携帯端末は、受信した前記メールを識別して表示させるメール表示手段と、前記メールの表示画面に表示される返信ボタンが押下されると、受信した前記メールのフォームを表示させるフォーム表示手段と、前記フォームで指定された値を送信メールに記述する記述手段とを備えることを特徴とする。
【００１４】
また、前記携帯端末は、受信した前記メールと紐付けされた電話帳と、受信した前記メールを前記電話帳に対して登録／修正／削除するメール編集手段と、前記電話帳に登録されたメールを検索／表示するメール検索／表示手段と、受信した前記メールの送信元のメールアドレスと件名の内容とをキーとして前記電話帳に登録されたメールを自動更新するメール自動更新手段とを備えるようにしてもよい。
【００１５】
また、前記電話帳は、メール項目とし、少なくともユーザＩＤ、メールＩＤ、メール件名、本文が設けられているテーブルによって管理されているようにしてもよい。
【００１６】
また、前記本文には、マークアップ言語で記述されたフォームが保存されるようにしてもよい。
【００１７】
本発明の携帯端末は、本文にテキスト文字以外の情報を貼り付けることができるメールの送受信を行う携帯端末であって、受信した前記メールを識別して表示させるメール表示手段と、前記メールの表示画面に表示される返信ボタンが押下されると、受信した前記メールのフォームを表示させるフォーム表示手段と、前記フォームで指定された値を送信メールに記述する記述手段とを備えることを特徴とする。
【００１８】
また、受信した前記メールと紐付けされた電話帳と、受信した前記メールを前記電話帳に対して登録／修正／削除するメール編集手段と、前記電話帳に登録されたメールを検索／表示するメール検索／表示手段と、受信した前記メールの送信元のメールアドレスと件名の内容とをキーとして前記電話帳に登録されたメールを自動更新するメール自動更新手段とを備えるようにしてもよい。
【００１９】
また、前記電話帳は、メール項目とし、少なくともユーザＩＤ、メールＩＤ、メール件名、本文が設けられているテーブルによって管理されているようにしてもよい。
【００２０】
また、前記本文には、マークアップ言語で記述されたフォームが保存されるようにしてもよい。
【００２１】
本発明のメール配信方法は、本文にテキスト文字以外の情報を貼り付けることができるメールの送受信を行うメール配信方法であって、受信した前記メールを識別して表示させるステップと、前記メールの表示画面に表示される返信ボタンが押下されると、受信した前記メールのフォームを表示させるステップと、前記フォームで指定された値を送信メールに記述するステップとを有することを特徴とする。
【００２２】
また、受信した前記メールと紐付けされた電話帳に対し、受信した前記メールを登録／修正／削除するステップと、前記電話帳に登録されたメールを検索／表示するステップと、受信した前記メールの送信元のメールアドレスと件名の内容とをキーとして前記電話帳に登録されたメールを自動更新するステップとを有するようにしてもよい。
【００２３】
また、前記電話帳は、メール項目とし、少なくともユーザＩＤ、メールＩＤ、メール件名、本文が設けられているテーブルによって管理されているようにしてもよい。
【００２４】
また、前記本文には、マークアップ言語で記述されたフォームが保存されるようにしてもよい。
ことを特徴とする請求項１１に記載のメール配信方法。
【００２５】
本発明のメール配信プログラムは、本文にテキスト文字以外の情報を貼り付けることができるメールの送受信を行うメール配信方法を実行するためのメール配信プログラムであって、受信した前記メールを識別して表示させるステップと、前記メールの表示画面に表示される返信ボタンが押下されると、受信した前記メールのフォームを表示させるステップと、前記フォームで指定された値を送信メールに記述するステップとを有することを特徴とする。
【００２６】
また、受信した前記メールと紐付けされた電話帳に対し、受信した前記メールを登録／修正／削除するステップと、前記電話帳に登録されたメールを検索／表示するステップと、受信した前記メールの送信元のメールアドレスと件名の内容とをキーとして前記電話帳に登録されたメールを自動更新するステップとを有するようにしてもよい。
【００２７】
また、前記電話帳は、メール項目とし、少なくともユーザＩＤ、メールＩＤ、メール件名、本文が設けられているテーブルによって管理されているようにしてもよい。
【００２８】
また、前記本文には、マークアップ言語で記述されたフォームが保存されるようにしてもよい。
【発明の効果】
【００２９】
本発明のメール配信システム、携帯端末、メール配信方法、メール配信プログラムによれば、受信した本文にテキスト文字以外の情報を貼り付けることができるメールが受信されると、そのメールを識別して表示させ、そのメールの表示画面に表示される返信ボタンが押下されると、受信したメールのフォームを表示させ、そのフォームで指定された値を送信メールに記述するようにしたので、携帯端末の制約を考慮し、ユーザに対する情報の表示様式や、ユーザのデータ入力方式を規定するＵＩ（ｕｓｅｒ  ｉｎｔｅｒｆａｃｅ）を満たすことができる。
【発明を実施するための最良の形態】
【００３０】
本実施形態では、本文にテキスト文字以外の情報を貼り付けることができるメールの送受信が可能な携帯端末と、携帯端末間でのメールの送受信を行うメールサーバとを備え、携帯端末は、受信したメールを識別して表示させ、そのメールの表示画面に表示される返信ボタンが押下されると、受信したメールのフォームを表示させ、そのフォームで指定された値を送信メールに記述するようにすることで、携帯端末の制約を考慮し、ユーザに対する情報の表示様式や、ユーザのデータ入力方式を規定するＵＩ（ｕｓｅｒ  ｉｎｔｅｒｆａｃｅ）を満たすことができるようにした。
【実施例】
【００３１】
以下、本発明の詳細を図面に基づいて説明する。
図１は、本発明のメール配信システムの一実施例の概要を説明するための図である。
【００３２】
図１に示すメール配信システムは、携帯端末間でのたとえばＨＴＭＬメールの送受信を行うようにしたものであり、携帯電話１０ａ，１０ｂ、企業側端末２０、メールサーバ３０を備えている。
【００３３】
ここで、ＨＴＭＬメールは、本文にテキスト文字以外の情報を貼り付けることができるメールである。また、テキスト文字以外の情報としては、静止画、動画、音声、各種文字色、各種フォント等である。なお、ここでは説明の便宜上、たとえば携帯電話１０ａ，１０ｂを２台とし、企業側端末２０を一台としているが、これらの数に限られるものではない。
【００３４】
携帯端末としての携帯電話１０ａ，１０ｂは、各通信キャリアのパケット通信網４０と、通信回線であるインターネット４１と、メールサーバ３０とを介し、メールの送受信をすることができる端末装置である。
【００３５】
なお、本実施例では携帯電話１０ａ，１０ｂを例として挙げたが、携帯電話１０ａ，１０ｂに限らず、たとえばＰＤＡ、ＰＣ、ノートパソコン等のメールの送受信をすることができる端末装置であってもよい。
【００３６】
企業側端末２０は、通信回線であるインターネット４１と、メールサーバ３０とを介し、メールの送受信をすることができる端末装置であり、ここではメールサーバ３０を管理するものとする。なお、企業側端末２０としては、ＰＣ、ノートパソコン等のメールの送受信をすることができる端末装置であってもよい。
【００３７】
図２は、携帯電話１０ａ，１０ｂの詳細を説明するための図である。携帯電話１０ａ，１０ｂは、少なくとも通信部１１、ＲＡＭ１２、ＲＯＭ１３、ＣＰＵ１４を有している。なお、これら全ての通信部１１、ＲＡＭ１２、ＲＯＭ１３、ＣＰＵ１４は、バス１５ａにより相互に接続されている。
【００３８】
通信部１１は、パケット通信網４０及びインターネット４１を介し、少なくともメールを送信したりメールを受信したりする。
【００３９】
ＲＡＭ１２は、少なくとも受信した受信メール１２ｂを保存するメールボックス１２ａと、電話帳１２ｃとを有している。なお、受信メール１２ｂは、テキストメール及びＨＴＭＬメールである。また、電話帳１２ｃには受信したＨＴＭＬメールが紐付けされている。また、メールボックス１２ａ及び電話帳１２ｃにあっては、ＲＯＭ１３側に設けられていてもよい。
【００４０】
ＲＯＭ１３は、少なくともメール処理プログラム１３ａ、電話帳管理テーブル１３ｂ及びＯＳ（Ｏｐｅｒａｔｉｎｇ  Ｓｙｓｔｅｍ）１３ｃを格納している。メール処理プログラム１３ａは、後述のＣＰＵ１４によるメール表示機能、フォーム表示機能、ＨＴＭＬ記述機能、ＨＴＭＬメール編集機能、ＨＴＭＬメール検索／表示機能、ＨＴＭＬメール自動更新機能を実行するためのプログラムである。電話帳管理テーブル１３ｂの詳細については後述する。
【００４１】
ＣＰＵ１４は、上述した通信部１１の動作を制御したり、ＲＡＭ１２への書き込み／読み出しを制御したり、ＲＯＭ１３からの読み出しを制御したりする。また、ＣＰＵ１４は、メール処理プログラム１３ａを読み込むことにより、メール表示機能、フォーム表示機能、ＨＴＭＬ記述機能、ＨＴＭＬメール編集機能、ＨＴＭＬメール検索／表示機能、ＨＴＭＬメール自動更新機能を実行する。
【００４２】
ここで、メール表示機能とは、受信したＨＴＭＬメールを識別して表示させることである。フォーム表示機能とは、携帯電話１０ａ，１０ｂの画面に表示される後述の返信ボタン１７ｂを押下したときにＨＴＭＬフォームを表示することである。ＨＴＭＬ記述機能とは、ＨＴＭＬフォームで指定された値を送信メールに記述することである。
【００４３】
ＨＴＭＬメール編集機能とは、ＨＴＭＬメールを電話帳１２ｃに対して登録／修正／削除することである。ＨＴＭＬメール検索／表示機能とは、電話帳１２ｃに登録されたＨＴＭＬメールを検索／表示することである。ＨＴＭＬメール自動更新機能とは、後述のＦｒｏｍ（送信元）１６ａのメールアドレスとＳｕｂｊｅｃｔ（件名）１６ｂの内容とをキーとして電話帳１２ｃに登録されたＨＴＭＬメールを自動更新することである。
【００４４】
図３は、上述した電話帳管理テーブル１３ｂの詳細について説明するための図である。電話帳管理テーブル１３ｂは、図３（ａ）に示すテキストメール用のテーブル１５と、ＨＴＭＬメール用のテーブル１６とを有している。
【００４５】
テキストメール用のテーブル１５には、電話帳項目として、ユーザＩＤ１５ａ、名前１５ｂ、電話番号１５ｃ、メールアドレス１５ｄが設けられている。なお、電話帳項目としては、これら以外に、「フリガナ」、「所属グループ」、「電話番号２」、「メールアドレス２」、「住所」、「メモ」等が設けられていてもよい。
【００４６】
ＨＴＭＬメール用のテーブル１６には、ＨＴＭＬメール項目とし、ユーザＩＤ１６ａ、メールＩＤ１６ｂ、ＨＴＭＬメール件名１６ｃ、本文１６ｄが設けられている。なお、ここではユーザＩＤ１６ａの項目において、「２」のユーザＩＤ１６ａにメールＩＤ１６ｂの「１」と「２」とが紐付けられている場合を示している。また、本文１６ｄには、ＨＴＭＬで記述されたフォームが保存されるようになっている。
【００４７】
また、図３では、テキストメール用のテーブル１５とＨＴＭＬメール用のテーブル１６とを分けて示しているが、これらは１つのテーブルとして構成されていてもよい。
【００４８】
次に、メール配信システムによるメール配信方法について説明する。なお、以下の説明では、携帯電話１０ａとメールサーバ３０との間でＨＴＭＬメールがやり取りされる場合について説明する。
【００４９】
まず、携帯電話１０ａによってメールサーバ３０からＨＴＭＬメールが受信されて自動更新される場合について説明すると、図４に示すように、携帯電話１０ａがメールサーバ３０から送信されたＨＴＭＬメールを受信する（ステップＳ１，Ｓ２）。この場合、たとえば図７（ａ）に示すように、携帯電話１０ａからたとえばピザの注文を受け付けるメールサーバ３０にシンプルメールを送信すると、メールサーバ３０から図７（ｂ）に示すように、ＨＴＭＬメールが送信される。ここで、シンプルメールとは、たとえばＴｏ（あて先）１６ａを「ｏｒｄｅｒ＠ｐｉｚｚａ．ｊｐ」とし、本文１６ｃを空白としたメールである。
【００５０】
また、携帯電話１０ａとメールサーバ３０とのメールのやり取りは、ＳＭＴＰ（Ｓｉｍｐｌｅ  Ｍａｉｌ  Ｔｒａｎｓｆｅｒ  Ｐｒｏｔｏｃｏｌ）で行われる。なお、ＳＭＴＰに限らず、画像、音声、動画等のファイルのやり取りが可能なＨＴＴＰ（ＨｙｐｅｒＴｅｘｔ  Ｔｒａｎｓｆｅｒ  Ｐｒｏｔｏｃｏｌ）や、ＳＳＬによるデータの暗号化が可能なＨＴＴＰＳ（ＨｙｐｅｒＴｅｘｔ  Ｔｒａｎｓｆｅｒ  Ｐｒｏｔｏｃｏｌ  Ｓｅｃｕｒｉｔｙ）を用いてもよい。
【００５１】
そして、メールサーバ３０からのＨＴＭＬメールを受け取ると、図７（ｃ）に示すように、そのＨＴＭＬメールがＣＰＵ１４によるメール表示機能によって識別されて携帯電話１０ａの画面に表示される。すなわち、携帯電話１０ａの画面において、Ｆｒｏｍ（送信元）１６ｄに受信日時とメールアドレスである「ｏｒｄｅｒ＠ｐｉｚｚａ．ｊｐ」とが表示され、Ｓｕｂｊｅｃｔ（件名）１６ｂに「ピザ注文」が表示され、本文１６ｃにＨＴＭＬフォームが表示される。
【００５２】
ここで、図４の（ステップＳ３）において、ＣＰＵ１４によるＨＴＭＬメール検索／表示機能により、Ｆｒｏｍ（送信元）１６ｄとＳｕｂｊｅｃｔ（件名）１６ｂとをキーとしてメールボックス１２ａに登録済みのＨＴＭＬメールがあるかどうかが判断され、登録済みのＨＴＭＬメールがなければ、ＣＰＵ１４によるＨＴＭＬメール編集機能により、メールボックス１２ａに受信したＨＴＭＬメールが格納される。
【００５３】
これに対し、メールボックス１２ａに登録済みのＨＴＭＬメールがある場合は、ＣＰＵ１４によるＨＴＭＬメール自動更新機能により、自動更新がｏｋかどうかが判断され（ステップＳ４）、自動更新がｏｋでなければＣＰＵ１４によるＨＴＭＬメール編集機能により、そのままメールボックス１２ａに受信したＨＴＭＬメールが格納されるが、自動更新がｏｋであればＣＰＵ１４によるＨＴＭＬメール自動更新機能により、登録済みのＨＴＭＬメールが自動更新される（ステップＳ５）。
【００５４】
次に、携帯電話１０ａによってメールサーバ３０から受信したＨＴＭＬメールを返信する場合ついて説明すると、図５に示すように、ＣＰＵ１４によるメール表示機能により、携帯電話１０ａの画面にメールサーバ３０から受信したＨＴＭＬメールが表示される（ステップＳ１０）。この場合、メールボックス１２ａに格納されているＨＴＭＬメールのリストに表示されているいずれかのＨＴＭＬメールを表示させてもよい。
【００５５】
ここで、図７（ｃ）に示す機能ボタン１７ａの押下待ちとなり（ステップＳ１１）、その機能ボタン１７ａが押下された場合は後述の登録処理に進み、返信ボタン１７ｂが押下された場合は図７（ｅ）に示すように送信すべきＨＴＭＬメールのフォームがＣＰＵ１４によるフォーム表示機能により表示される（ステップＳ１２）。
【００５６】
またここで、図７（ｄ）のように、注文ボタン１７ｆ又は返信ボタン１７ｂを押下した場合、ＨＴＴＰ／ＨＴＴＰＳによりたとえば「ｐｉｚｚａ．ｊｐ」のｗｗｗサーバにジャンプし、メーラでＨＴＭＬページを表示してもよいし、ブラウザに切り替えて表示してもよい。
【００５７】
そして、ＨＴＭＬフォーム値の入力待ちとなり（ステップＳ１３）、送信すべきメールが確認され（ステップＳ１４）、ＣＰＵ１４によるＨＴＭＬ記述機能により送信すべきメールが作成され（ステップＳ１５）。ここでピザを１枚注文する場合は数値入力欄１７ｇに「１」を入力する。
【００５８】
この場合、ＨＴＭＬメールの内容は、ＣＰＵ１４によるＨＴＭＬ記述機能によって、図７（ｇ）のように、
Ｔｏ：  ｏｒｄｅｒ＠ｐｉｚｚａ．ｊｐ
Ｆｒｏｍ：  ｙｙｙ＠ｃａｒｒｉｅｒ．ｎｅ．ｊｐ
Ｓｕｂｊｅｃｔ：  Ｒｅ：  ピザ注文
ｏｒｄｅｒ＝ハワイアン
ｎｕｍ＝１
と記述される。
【００５９】
送信すべきメールの内容を確認した後、送信ボタン１７ｄを押下すると、ＨＴＭＬメールが携帯電話１０ａからメールサーバ３０に送信される（ステップＳ１６）。メールサーバ３０側では、携帯電話１０ａからのＨＴＭＬメールを受信すると（ステップＳ１７）、メールサーバ３０側の所定の処理により、携帯電話１０ａからのＨＴＭＬメールのメッセージ処理が行われる（ステップＳ１８）。
【００６０】
次に、携帯電話１０ａによってメールサーバ３０から受信したＨＴＭＬメールを登録する場合について説明すると、図６に示すように、電話帳を表示し（ステップＳ２０）、ユーザ選択待ちとなり（ステップＳ２１）、登録確認をした後（ステップＳ２２）、登録となり（ステップＳ２３）、その後、元画面が表示される（ステップＳ２４）。
【００６１】
すなわち、図７（ｅ）で機能ボタン１７ａが押下された場合、図７（ｆ）のように、リスト１８ａ、登録番号１８ｂ、電話番号１８ｃ、メールアドレス１８ｄ、選択リスト１８ｅのような内容がＣＰＵ１４によるＨＴＭＬメール編集機能により電話帳１２ｃに登録される。なお、図７（ｆ）の画面において、修正が必要である場合は修正ボタン１７ｅを押下すると、修正処理に移行できるようになっている。
【００６２】
なお、図７では、注文内容の確認表示が行われていないが、注文内容の確認表示が行われる場合は、たとえば図８（ｅ）の画面で確認ボタン１７ｃを押下すると、図８（ｇ）のように、注文の確認内容が表示される。ここで、内容に間違いがなければ送信ボタン１７ｄを押下すると、ＨＴＭＬフォームに入力された値で送信メールがＣＰＵ１４によるＨＴＭＬ記述機能により作成され送信される。
【００６３】
また、図７では、ＨＴＭＬメールをメールサーバ３０に送信する場合を示しているが、メールサーバ３０に限らず、任意のメールアドレスにメールサーバ３０に送信すべきＨＴＭＬメールを送ることも可能である。
【００６４】
この場合、たとえば図９（ｅ）において、Ｔｏ（あて先）１６ａを携帯電話１０ｂを使用する友人のメールアドレスに変更し送信ボタン１７ｄを押下して送信する。そして、その携帯電話１０ｂに同じＨＴＭＬメールが登録されていれば、受信したＨＴＭＬメールが携帯電話１０ｂによって表示される。
【００６５】
このように、本実施例では、本文にテキスト文字以外の情報を貼り付けることができるたとえばＨＴＭＬメールの送受信が可能な携帯電話１０ａ，１０ｂと、携帯電話１０ａ，１０ｂ間でのメールの送受信を行うメールサーバ３０とを備え、携帯電話１０ａ，１０ｂは、受信したメールを識別して表示させ、そのメールの表示画面に表示される返信ボタンが押下されると、受信したメールのフォームを表示させ、そのフォームで指定された値を送信メールに記述することで、携帯電話１０ａ，１０ｂの制約を考慮し、ユーザに対する情報の表示様式や、ユーザのデータ入力方式を規定するＵＩ（ｕｓｅｒ  ｉｎｔｅｒｆａｃｅ）を満たすことができる。
【００６６】
また、本実施例では、携帯電話１０ａ，１０ｂに、受信したＨＴＭＬメールと紐付けされた電話帳１２ｃと、受信したＨＴＭＬメールを電話帳１２ｃに対して登録／修正／削除し、電話帳１２ｃに登録されたＨＴＭＬメールを検索／表示し、受信したＨＴＭＬメールの送信元のメールアドレスと件名の内容とをキーとして電話帳１２ｃに登録されたＨＴＭＬメールを自動更新するようにしたので、ＨＴＭＬメールのフォーム機能の利用を実現することができ、併せてメーラ制御（Ｍａｉｌｔｏ）機能の利用を実現することができる。
【００６７】
また、本実施例では、電話帳１２ｃを、少なくともユーザＩＤ１６ａ、メールＩＤ１６ｂ、ＨＴＭＬメール件名１６ｃ、本文１６ｄとしたＨＴＭＬメール項目を有するＨＴＭＬメール用のテーブル１６によって管理しているので、受信したＨＴＭＬメールを電話帳１２ｃで一元管理することができ、使い勝手の向上と管理効率とを高めることができる。
【００６８】
また、本実施例では、電話帳１２ｃの本文１６ｄにＨＴＭＬで記述されたフォームが保存されるようにしたので、そのフォームをテンプレートとして有効活用することができる。
【産業上の利用可能性】
【００６９】
メール機能を有した端末装置による通信システム全般においても適用可能である。
【図面の簡単な説明】
【００７０】
【図１】本発明のメール配信システムの一実施例の概要を説明するための図である。
【図２】図１の携帯電話の詳細を説明するためのブロック図である。
【図３】図２の電話帳管理テーブルの詳細について説明するための図である。
【図４】図１のメール配信システムによるメール配信方法について説明するための図であり、携帯電話によってメールサーバからＨＴＭＬメールが受信されて自動更新される場合について説明するためのフローチャートである。
【図５】図１のメール配信システムによるメール配信方法について説明するための図であり、携帯電話によってメールサーバから受信したＨＴＭＬメールを返信する場合ついて説明するためのフローチャートである。
【図６】図１のメール配信システムによるメール配信方法について説明するための図であり、携帯電話によってメールサーバから受信したＨＴＭＬメールを登録する場合ついて説明するためのフローチャートである。
【図７】図１のメール配信システムによるメール配信方法について説明するための図であり、注文内容の確認表示が行われない場合を説明するための携帯電話の画面の遷移図である。
【図８】図１のメール配信システムによるメール配信方法について説明するための図であり、注文内容の確認表示が行われる場合を説明するための携帯電話の画面の遷移図である。
【図９】図１のメール配信システムによるメール配信方法について説明するための図であり、メールサーバに送信すべきＨＴＭＬメールを任意のメールアドレスに送信する場合を説明するための携帯電話の画面の遷移図である。
【符号の説明】
【００７１】
１０ａ  携帯電話
１０ｂ  携帯電話
１１  通信部
１２ａ  メールボックス
１２ｂ  受信メール
１２ｃ  電話帳
１３ａ  メール処理プログラム
１３ｂ  電話帳管理テーブル
１４  ＣＰＵ
１５  テキストメール用のテーブル
１６  ＨＴＭＬメール用のテーブル
２０  企業側端末
３０  メールサーバ
４０  パケット通信網
４１  インターネット
【図１】
2007102354.tif 000003
【図２】
2007102354.tif 000004
【図３】
2007102354.tif 000005
【図４】
2007102354.tif 000006
【図５】
2007102354.tif 000007
【図６】
2007102354.tif 000008
【図７】
2007102354.tif 000009
【図８】
2007102354.tif 000010
【図９】
2007102354.tif 000011